(57)【要約】【課題】電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供すること。【解決手段】コネクタハウジング２２が、電源側／アース側バスバー１４，１８を保持するバスバー保持部５２と、コンデンサ保持部５４と、その間に設けられた接続領域５０とを含んで構成され、該接続領域５０には、電源側／アース側バスバー１４，１８のリード接続部３４，４０と、コンデンサ２０のリード部４６が、相互に重ね合わされて電気的に接続されている一方、コンデンサ保持部５４が、底壁６２を有する第一筒体６４と上壁６６を有する第二筒体６８を含む軸方向分割体を軸方向で組み合わせることにより、コンデンサ２０が収容保持されると共に、底壁６２にはリード挿通孔７０が貫設されるようにした。【選択図】図２
2014096208.tif 000002
【特許請求の範囲】
【請求項１】
複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、
前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、
前記コンデンサが、コンデンサ本体と、該コンデンサ本体の底面から同じ向きに突出する一対のリード部を備えていると共に、
前記電源側バスバーと前記アース側バスバーが、前記コンデンサの前記一対のリード部が接続されるリード接続部をそれぞれ備えており、
前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、
前記コンデンサ保持部が、底壁を有する第一筒体と上壁を有する第二筒体を含む軸方向分割体を軸方向で組み合わせることにより、前記コンデンサを収容保持する有底筒形状を為すように構成されていると共に、第一筒体の底壁には、前記コンデンサの前記一対のリード部が挿通される一対のリード挿通孔が貫設されていることを特徴とするコンデンサ内蔵ジョイントコネクタ。
【請求項２】
前記コネクタハウジングが前記接続領域を画成する矩形枠体部を有しており、該矩形枠体部の一対の対向壁部の一方に前記バスバー保持部が一体形成されている一方、前記一対の対向壁部の他方に前記第一筒体が一体形成されている請求項１に記載のコンデンサ内蔵ジョイントコネクタ。
【請求項３】
前記コンデンサ保持部が前記第一筒体と前記第二筒体から構成されており、前記第一筒体と前記第二筒体の一方には、筒壁の開口側端面から突出する連結突部が設けられている一方、前記第一筒体と前記第二筒体の他方には、筒壁の開口側端面に開口して前記筒壁内に穿設された突部挿入孔が形成されており、前記連結突部を前記突部挿入孔に嵌め入れることにより、前記第一筒体と前記第二筒体が組み付け状態に保持される請求項１又は２に記載のコンデンサ内蔵ジョイントコネクタ。
【発明の詳細な説明】
【技術分野】
【０００１】
本発明は、複数の端子部を有する電源側バスバーと、複数の端子部を有するアース側バスバーと、それら電源側バスバーとアース側バスバーの間を接続するコンデンサが、コネクタハウジングに収容保持されてなるコンデンサ内蔵ジョイントコネクタに関するものである。
【背景技術】
【０００２】
従来から、自動車等に搭載された電気・電子機器から導出される複数の電線を一括接続するジョイントコネクタの一種として、複数の端子部を有する電源側バスバーと複数の端子部を有するアース側バスバーの間にコンデンサが接続されたコンデンサ内蔵ジョイントコネクタが知られている。例えば、特開２００７−２８７６４４号公報（特許文献１）に記載のものがそれである。このようなコンデンサ内蔵ジョイントコネクタによれば、電源側バスバーの端子部に接続された各種機器のプラス側や電源のプラス側から導出される複数の電線が、電源側バスバーを介して一括接続される一方、アース側バスバーの端子部に接続された各種機器のマイナス側や電源のマイナス側から導出される複数の電線が、アース側バスバーに一括接続される。そして、アース接続されたコンデンサが電源側に接続されることにより、電源側に発生するノイズを除去することができるようになっている。
【０００３】
ところで、このような従来構造のコンデンサ内蔵ジョイントコネクタでは、特許文献１の図５や図６に示されるように、電源側バスバーおよびアース側バスバーをコネクタハウジングに収容配置した状態で、コンデンサの一対のリード部を、各バスバーに形成されたリード接続部に設けられた挿通孔に挿通してそれぞれ半田付けすることにより、コンデンサと電源側バスバーおよびアース側バスバーの接続が図られている。
【０００４】
ところが、コンデンサから突出する一対のリード部を各バスバーの挿通孔に合う位置で屈曲させて挿通する作業は非常に煩雑であり、作業効率の悪化を招いていた。しかも、各リード部を各リード接続部に半田付けする際には、治具等でコンデンサとコネクタハウジングを位置決め保持する必要があり、作業に必要な部品点数や工数の増加を招き、作業性をさらに悪化させていた。
【先行技術文献】
【特許文献】
【０００５】
【特許文献１】特開２００７−２８７６４４号公報
【発明の概要】
【発明が解決しようとする課題】
【０００６】
本発明は、上述の事情を背景に為されたものであって、その解決課題は、電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供することにある。
【課題を解決するための手段】
【０００７】
本発明の第一の態様は、複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、前記コンデンサが、コンデンサ本体と、該コンデンサ本体の底面から同じ向きに突出する一対のリード部を備えていると共に、前記電源側バスバーと前記アース側バスバーが、前記コンデンサの前記一対のリード部が接続されるリード接続部をそれぞれ備えており、前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、前記コンデンサ保持部が、底壁を有する第一筒体と上壁を有する第二筒体を軸方向で組み合わせることにより、前記コンデンサを収容保持する有底筒形状を為すように構成されていると共に、第一筒体の底壁には、前記コンデンサの前記一対のリード部が挿通される一対のリード挿通孔が貫設されていることを特徴とする。
【０００８】
本発明に従う構造とされたコンデンサ内蔵ジョイントコネクタによれば、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部とが相互に重ね合わされて電気的に接続される構造とされている。従って、コネクタハウジングのバスバー保持部とコンデンサ保持部の間の中間部分に設けられた接続領域を利用することにより、当該接続領域内でリード部とリード接続部を容易且つ安定して電気的に接続させることができる。特に、コネクタハウジングの両端側で接続対象である電源側バスバー／アース側バスバーとコンデンサが保持されていることから、接続対象の位置決めをコネクタハウジングへの装着と同時に容易に達成できる。これにより、従来構造に比して接続工程に必要とされる治具や位置合わせの作業を有利に削減して、接続作業を簡便且つ容易に行うことができる。
【０００９】
また、接続領域がバスバー保持部とコンデンサ保持部の間に設けられていることから、各バスバーから突出するリード接続部や、コンデンサ本体の底面から突出する一対のリード部を屈曲等することなく、接続領域内に突出させるのみで、リード接続部とリード部を重ね合わせて電気的に接続させることができる。それ故、従来構造の如きコンデンサの一対のリード部をリード接続部の位置に合わせて屈曲させる必要がなく、接続作業の一層の効率化を図ることができる。
【００１０】
加えて、コンデンサ保持部には、リード挿通孔が設けられていることから、コンデンサのリード部をリード挿通孔に挿通するだけで、コンデンサ保持部に保持されたコンデンサを確実に位置決め保持することができ、リード部とリード接続部の接続作業時やその後の使用時におけるコンデンサの回転による接続不良等を未然に防止することができる。なお、コンデンサ保持部の底壁にこのようなリード挿通孔を設けた際には、コンデンサ本体の底面から突出するリード部をコンデンサ保持部の奥方にあるリード挿通孔に挿通する作業が困難となり、却って作業性を悪化させることが予測できるが、本発明ではかかる作業も容易に行い得るようになっている。
【００１１】
すなわち、コンデンサ保持部が、底壁を有する第一筒体と上壁を有する第二筒体を含む軸方向分割体を組み合わせて有底筒形状を為す構造とされている。従って、コンデンサ保持部が有底筒形状であっても、底壁に設けられたリード挿通孔へのリード部の挿通を、軸方向長さが短い第一筒体に対して行えばよく、かかる作業を容易に行うことができるのである。また、軸方向分割体を組み合わせた後は、第一筒体の底壁と第二筒体の上壁との間で、コンデンサを軸方向に挟んだ状態で、コンデンサをコンデンサ保持部内に収容保持することができる。これにより、リード部とリード接続部の接続工程において、特別な治具等を必要とすることなく、コンデンサの軸方向位置を確実に保持して、コンデンサ保持部からのコンデンサの抜け出しを有利に防止することができる。
【００１２】
なお、コンデンサ保持部は、第一筒体と第二筒体を含んだ軸方向分割体であればよく、第一筒体と第二筒体のみの２分割構成でもよく、中間筒体を含む３分割以上の構成でもよい。また、コンデンサのリード部とバスバーのリード接続部の接続方法も任意であり、接続領域で実施し得るものであれば、抵抗溶接の他、半田付け等の方法により電気的に接続されるようにしてもよい。
【００１３】
本発明の第二の態様は、前記第一の態様に記載のものにおいて、前記コネクタハウジングが前記接続領域を画成する矩形枠体部を有しており、該矩形枠体部の一対の対向壁部の一方に前記バスバー保持部が一体形成されている一方、前記一対の対向壁部の他方に前記第一筒体が一体形成されているものである。
【００１４】
本態様によれば、コネクタハウジングの矩形枠体部により接続領域が画成されていることから、コネクタハウジングの剛性を確保しつつ、中間部分に中空の接続領域を形成することができる。これにより、接続領域におけるリード部とリード接続部の接続方向の選択自由度が飛躍的に向上され、矩形枠体部の中央部分に抵抗溶接の設備を挿入して、リード部とリード接続部を抵抗溶接等の機械作業により、一層効率よく行うことも可能となる。
【００１５】
また、矩形枠体部の一対の対向壁部にバスバー保持部と第一筒体が一体形成されていることから、それらの剛性やコネクタハウジング全体の剛性が確保されて、接続対象である各バスバーのリード接続部とコンデンサのリード部の位置決めを一層精度よく行うことが可能となる。
【００１６】
本発明の第三の態様は、前記第一又は第二の態様に記載のものにおいて、前記コンデンサ保持部が前記第一筒体と前記第二筒体から構成されており、前記第一筒体と前記第二筒体の一方には、筒壁の開口側端面から突出する連結突部が設けられている一方、前記第一筒体と前記第二筒体の他方には、筒壁の開口側端面に開口して前記筒壁内に穿設された突部挿入孔が形成されており、前記連結突部を前記突部挿入孔に嵌め入れることにより、前記第一筒体と前記第二筒体が組み付け状態に保持されるものである。
【００１７】
本態様によれば、コンデンサ保持部を構成する第一筒体と第二筒体を簡単な構造で確実に軸方向で組み付け保持することができ、コンデンサのコンデンサ保持部からの抜け出しや位置ずれを一層有利に防止することができる。しかも、コンデンサ保持部の外周面に突起物が出現しないことから、他部材との干渉等の問題を生ずることなく、連結突部と突部挿入孔を形成でき、第一筒体と第二筒体の組付安定性を有利に確保することができる。
【発明の効果】
【００１８】
本発明においては、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部を電気的に接続するようにした。これにより、接続対象を少ない部品点数で確実に位置決め保持して接続工程を容易且つ簡便に行うことができる。しかも、コンデンサ保持部が軸方向分割されており、底壁に設けたリード挿通孔にコンデンサのリード部が容易に挿通し得るようになっていることから、コンデンサの位置決め性を簡易な作業により有利に実現することができる。
【図面の簡単な説明】
【００１９】
【図１】本発明の一実施形態としてのコンデンサ内蔵ジョイントコネクタの分解斜視図。
【図２】図１に示したコネクタハウジングに対して、電源側バスバー，アース側バスバーおよびコンデンサを組み付けたコネクタ本体と、コネクタケースを示す分解斜視図。
【図３】図２に示したコネクタ本体の組み立て方法について説明する分解斜視図。
【図４】図３に示したコネクタ本体におけるコンデンサ保持部の第一筒体を示す正面図。
【発明を実施するための形態】
【００２０】
以下、本発明の実施形態について、図面を参照しつつ説明する。
【００２１】
先ず、図１および図２に、本発明の一実施形態としてのコンデンサ内蔵ジョイントコネクタ１０の分解斜視図を示す。コンデンサ内蔵ジョイントコネクタ１０は、複数の端子部１２を有する電源側バスバー１４と、複数の端子部１６を有するアース側バスバー１８と、電源側バスバー１４とアース側バスバー１８の間を接続するコンデンサ２０が、コネクタハウジング２２に収容保持されてなるコネクタ本体２４を含んで構成されている。そして、コネクタ本体２４がコネクタケース２６に収容保持されることにより、本実施形態のコンデンサ内蔵ジョイントコネクタ１０が構成されるようになっている。
【００２２】
より詳しくは、電源側バスバー１４およびアース側バスバー１８は、銅や銅合金等の導通性金属平板を所定の形状にプレス打ち抜き加工等して形成されている。図１に示すように、電源側バスバー１４は、相互に離隔して整列配置された複数の端子部１２が、それらの基端部側でビーム状の連結部３０を介して相互に連結されている。連結部３０を挟んで端子部１２と反対側には、連結部３０の両端側から突出する一対の係合突部３２ａ，３２ｂが突設されている。また、連結部３０の中央部分のやや係合突部３２ａ寄りには、帯状の電源側リード接続部３４が係合突部３２ａ，３２よりも大きな突出長さで突設されている。同様に、アース側バスバー１８は、相互に離隔して整列配置された複数の端子部１６が、それらの基端部側でビーム状の連結部３６を介して相互に連結されている。連結部３６を挟んで端子部１６と反対側には、連結部３６の両端側から突出する一対の係合突部３８ａ，３８ｂが突設されている。また、連結部３６の中央部分の係合突部３８ｂ寄りには、帯状のアース側リード接続部４０が係合突部３８ａ，３８よりも大きな突出長さで突設されている。なお、アース側リード接続部４０は、突出先端部側が側面視でクランク状に屈曲されて立ち上げられており、その突出先端面４０ａが、端子部１６よりも上方に位置されるようになっている。
【００２３】
電源側バスバー１４とアース側バスバー１８の間を接続するコンデンサ２０は、円筒形状のコンデンサ本体４２と、コンデンサ本体４２の底面４４から同じ向きである軸方向外方（図１中、左側）に突出する一対のリード部４６ａ，４６ｂを備えている。このような構造を備えたコンデンサ２０として、従来から公知の電解コンデンサやフィルムコンデンサ等の各種コンデンサが好適に採用可能である。
【００２４】
これらの電源側バスバー１４、アース側バスバー１８およびコンデンサ２０を収容保持するコネクタハウジング２２は、非導通性の合成樹脂材料を射出成形等により一体形成した構造とされている。図１に示すように、コネクタハウジング２２は、その中央部分に矩形枠体部４８を備えており、矩形枠体部４８の内部に形成される中空領域により、矩形枠体部４８によって画成される接続領域５０が構成されるようになっている。コネクタハウジング２２の長手方向の一端側となる、矩形枠体部４８の一対の対向壁部の一方（図１中、左側）には、バスバー保持部５２が一体形成されている。また、コネクタハウジング２２の長手方向の他端側となる、矩形枠体部４８の一対の対向壁部の他方（図１中、右側）には、バスバー保持部５２から長手方向に離隔した位置に、コンデンサ２０を収容保持するコンデンサ保持部５４が設けられている。
【００２５】
バスバー保持部５２には、コンデンサ保持部５４との対向方向で内部を貫通する電源側バスバー収容孔５６とアース側バスバー収容孔５８が形成されている。電源側バスバー収容孔５６とアース側バスバー収容孔５８は、矩形枠体部４８の軸方向の上下に並ぶように配列されている。そして、バスバー保持部５２の電源側バスバー収容孔５６に対して、外方開口側（図１中、左側）から電源側バスバー１４が挿し入れられると、電源側バスバー収容孔５６の内部に形成された図示しない係合凹部に、電源側バスバー１４に設けられた一対の係合突部３２ａ，３２ｂが嵌り込んで保持される。これにより、電源側バスバー１４が、バスバー保持部５２の電源側バスバー収容孔５６の所定位置に位置決めされて保持される。かかる位置決め状態下において、電源側バスバー１４に設けられた電源側リード接続部３４が、電源側バスバー収容孔５６を貫通して、バスバー保持部５２からコンデンサ保持部５４に向かって突出するようにして、接続領域５０内に配設されている。
【００２６】
同様に、バスバー保持部５２のアース側バスバー収容孔５８に対して、外方開口側（図１中、左側）からアース側バスバー１８が挿し入れられる。なお、アース側バスバー１８は、前述のとおり先端側がクランク状に折り曲げられたアース側リード接続部４０を有していることから、アース側リード接続部４０を全長に亘ってアース側バスバー収容孔５８に挿通することは不可能である。そこで、アース側バスバー収容孔５８の底面には、切欠部６０が形成されている。そして、アース側バスバー１８をアース側バスバー収容孔５８に挿し入れる際には、先ず、アース側リード接続部４０の基端部側を下方から切欠部６０に嵌め入れるようにしてアース側バスバー収容孔５８に挿し入れる。その後、アース側バスバー１８の一対の係合突部３８ａ，３８ｂを、アース側バスバー収容孔５８の外方開口側（図１中、左側）から奥方に挿し入れると、アース側バスバー収容孔５８の内部に形成された図示しない係合凹部に、アース側バスバー１８の一対の係合突部３８ａ，３８ｂが嵌り込んで保持される。これにより、アース側バスバー１８が、バスバー保持部５２のアース側バスバー収容孔５８の所定位置に位置決めされて保持されるのである。
【００２７】
ここで、バスバー保持部５２に収容保持された電源側バスバー１４の電源側リード接続部３４の上面と、アース側バスバー１８のアース側リード接続部４０の突出先端面４０ａの上面が、矩形枠体部４８の軸方向において略同じ位置に保持されるようになっている。
【００２８】
次に、図３を用いて、電源側バスバー１４とアース側バスバー１８がバスバー保持部５２に収容保持されたコネクタハウジング２２に対して、コンデンサ２０を装着する作業について説明する。図３（ａ）〜（ｃ）に示すように、コネクタハウジング２２に設けられたコンデンサ保持部５４は、底壁６２を有する第一筒体６４と、上壁６６を有する第二筒体６８からなる軸方向分割体構造とされており、第一筒体６４と第二筒体６８をそれらの開口部同士を対向させて軸方向で組み合わせることにより、コンデンサ２０を内部に収容保持する有底筒形状のコンデンサ保持部５４が構成されるようになっている。
【００２９】
図３（ａ）に示されるように、コネクタハウジング２２を構成する矩形枠体部４８の一対の対向壁部の他方（図１中、右側）には、コンデンサ保持部５４を構成する第一筒体６４が一体形成されている。第一筒体６４は、コンデンサ２０のコンデンサ本体４２の外径寸法よりも僅かに大きな内径寸法を有する中空円筒形状とされている一方、コンデンサ本体４２の略半分程度の軸方向長さで形成されている。底壁６２には、コンデンサ２０の一対のリード部４６ａ，４６ｂが挿通される一対のリード挿通孔７０ａ，７０ｂが貫設されている。さらに、第一筒体６４の底壁６２よりも矩形枠体部４８側（図３中、左側）には、一対のリード挿通孔７０ａ，７０ｂから突出する一対のリード部４６ａ，４６ｂを保持する一対のリード保持溝７２ａ，７２ｂが所定長さに亘って略半円形断面形状で延出形成されている。なお、リード挿通孔７０ａ，７０ｂやリード保持溝７２ａ，７２ｂの底面は、矩形枠体部４８の軸方向において、電源側リード接続部３４の上面やアース側リード接続部４０の突出先端面４０ａの上面よりも僅かに上方に位置されている。
【００３０】
なお、図３（ａ）のＡ矢視図である図４に示されるように、第一筒体６４の筒壁の開口側端面７４には、後述する連結突部８０，８０が嵌め入れられる突部挿入孔７６，７６が、径方向で対向する位置に一対設けられている。これら突部挿入孔７６，７６は、第一筒体６４の筒壁内に略一定の矩形断面形状で所定長さに亘って穿設されており、開口側端面７４に開口して形成されている。
【００３１】
このような構造の第一筒体６４に対して、図３（ｂ）に示すようにコンデンサ２０が装着される。ここで、第一筒体６４は、コンデンサ本体４２の略半分程度の軸方向長さで形成されていることから、作業者は、第一筒体６４の底壁６２に形成された一対のリード挿通孔７０ａ，７０ｂに対して、コンデンサ２０の一対のリード部４６ａ，４６ｂを目視にて容易に位置決めして挿し入れることができる。そして、リード挿通孔７０ａ，７０ｂに挿通されたリード部４６ａ，４６ｂは、続いて一対のリード保持溝７２ａ，７２ｂに挿通されることにより、矩形枠体部４８の軸方向における所定位置に安定して位置決め保持されることとなる。これにより、接続領域５０において、コンデンサ保持部５４からバスバー保持部５２に向かって、コンデンサ２０の一対のリード部４６ａ，４６ｂが突出して配設されるようになっている。なお、上述のとおり、リード挿通孔７０ａ，７０ｂやリード保持溝７２ａ，７２ｂの底面は、矩形枠体部４８の軸方向において、電源側リード接続部３４の上面やアース側リード接続部４０の突出先端面４０ａの上面よりも僅かに上方に位置されていることから、リード挿通孔７０ａ，７０ｂやリード保持溝７２ａ，７２ｂに案内された各リード部４６ａ，４６ｂの先端部が、電源側リード接続部３４の上面やアース側リード接続部４０の突出先端面４０ａの上面に重ね合されるように位置決め載置されるようになっている。
【００３２】
第一筒体６４に対してコンデンサ２０を装着した後に、図３（ｂ）に示すように、第二筒体６８を第一筒体６４に組み付ける。第二筒体６８は、コンデンサ２０のコンデンサ本体４２の外径寸法よりも僅かに大きな内径寸法を有する中空円筒形状とされており、コンデンサ本体４２の略半分程度の軸方向長さで形成されている。なお、第二筒体６８には、筒壁の開口側端面７８から突出する連結突部８０，８０が径方向で対向する位置に一対設けられている。各連結突部８０は、対応する突部挿入孔７６よりも僅かに大きな外形寸法で略一定の矩形断面形状で延出している。そして、連結突部８０を突部挿入孔７６に所定の圧接代を持って嵌め入れることにより、図３（ｃ）に示すように、第一筒体６４と第二筒体６８が組み付け状態に保持される。これにより、第一筒体６４の底壁６２と第二筒体６８の上壁６６との間で、コンデンサ２０を軸方向に挟んだ状態で、コンデンサ保持部５４内にコンデンサ２０を安定して収容保持することができるのである。
【００３３】
このように、コネクタハウジング２２に対して、電源側バスバー１４とアース側バスバー１８がバスバー保持部５２に収容保持される一方、コンデンサ２０がコンデンサ保持部５４に収容保持されることにより、図３（ｃ）に示すように、矩形枠体部４８によって画成された接続領域５０内には、バスバー保持部５２からコンデンサ保持部５４に向かって突出する電源側バスバー１４の電源側リード接続部３４およびアース側バスバー１８のアース側リード接続部４０と、コンデンサ保持部５４からバスバー保持部５２に向かって突出するコンデンサ２０一対のリード部４６ａ，４６ｂが、矩形枠体部４８の軸方向で相互に重ね合わされた状態で位置決め保持されている。従って、図３（ｃ）に示す状態において、任意の方法により、一対のリード部４６ａ，４６ｂを、電源側リード接続部３４とアース側リード接続部４０にそれぞれ電気的に接続させることができる。本実施形態においては、矩形枠体部４８の軸方向上下側から、図示しない抵抗溶接機の一対の電極チップを挿入して、一対のリード部４６ａ，４６ｂと、電源側リード接続部３４およびアース側リード接続部４０の重ね合せ部分を、電極チップ間で挟み込み、抵抗溶接によりそれらが電気的に接続されている。
【００３４】
一対のリード部４６ａ，４６ｂと、電源側リード接続部３４およびアース側リード接続部４０が相互に重ね合わされて抵抗溶接によって電気的に接続された、図３（ｃ）に示すコネクタ本体２４は、最終的に、コネクタケース２６に収容保持される（図２参照）。コネクタケース２６は、非導電性の合成樹脂材により形成されており、一端側にコンデンサ保持部５４を収容する有底円筒部８２を有する一方、他端側がバスバー保持部５２を収容する矩形筒体部８４を有している。そして、矩形筒体部８４の開口部から、コネクタ本体２４がコンデンサ保持部５４を先頭に挿し入れられることにより、コネクタケース２６内に、コネクタ本体２４が位置決め保持されて収容されるようになっている。これにより、本実施形態に従うコンデンサ内蔵ジョイントコネクタ１０が提供される。このようなコンデンサ内蔵ジョイントコネクタ１０は、図示しない相手側コネクタに接続されて使用される。これにより、電源側バスバー１４の端子部１２に接続された各種機器のプラス側や電源のプラス側から導出される複数の電線が、電源側バスバー１４を介して一括接続される一方、アース側バスバー１８の端子部１６に接続された各種機器のマイナス側や電源のマイナス側から導出される複数の電線が、アース側バスバー１８に一括接続され、コンデンサ２０を介して電源側に発生するノイズを除去することができるようになっている。
【００３５】
このような本実施形態のコンデンサ内蔵ジョイントコネクタ１０によれば、コネクタハウジング２２の両端側に設けられたバスバー保持部５２とコンデンサ保持部５４に対して、それぞれ電源側バスバー１４およびアース側バスバー１８とコンデンサ２０を装着するだけで、それらの間に設けられた接続領域５０において、電気的な接続対象である電源側リード接続部３４およびアース側リード接続部４０と、コンデンサ２０のリード部４６ａ，４６ｂを屈曲等する必要なく、重ね合わせ状態に位置決め保持することができる。それ故、接続対象の位置決めをコネクタハウジング２２への装着と同時に容易に達成できる。これにより、従来構造に比して接続工程に必要とされる治具や位置合わせの作業さらにはリード部４６ａ，４６ｂの屈曲作業等を削減して、接続作業の簡便性や容易性さらには効率性を飛躍的に向上させることができる。
【００３６】
しかも、コンデンサ保持部５４には、リード挿通孔７０ａ，７０ｂが設けられていることから、コンデンサ２０のリード部４６ａ，４６ｂをリード挿通孔７０ａ，７０ｂに挿通するだけで、コンデンサ保持部５４に保持されたコンデンサ２０の中心軸周りの回転を防止することができる。これにより、接続作業時やその後の使用時におけるコンデンサ２０の回転によるリード部４６ａ，４６ｂと電源側およびアース側のリード接続部３４，４０の接続不良等を未然に防止することができる。
【００３７】
さらに、コンデンサ保持部５４が、第一筒体６４と第二筒体６８の軸方向分割体構造とされていることから、コンデンサ本体４２よりも軸方向長さが短くされた第一筒体６４の底壁６２に設けられたリード挿通孔７０ａ，７０ｂの目視確認等が容易となる。従って、かかるリード挿通孔７０ａ，７０ｂへのリード部４６ａ，４６ｂの挿通作業を困難なく行うことができ、作業性の向上も図られているのである。また、第一筒体６４と第二筒体６８を組み合わせた後は、第一筒体６４の底壁６２と第二筒体６８の上壁６６との間で、コンデンサ本体４２を軸方向に挟んだ状態で、コンデンサ本体４２をコンデンサ保持部５４内に収容保持することができる。これにより、リード部４６ａ，４６ｂと電源側／アース側リード接続部３４，４０の接続工程において、コンデンサ２０の軸方向の位置ずれを防止する特別な治具等を不要とすることができ、更なる接続作業の簡便化を図ることができる。
【００３８】
特に、本実施形態では、第一筒体６４と第二筒体６８が連結突部８０の突部挿入孔７６への圧入により、確実に軸方向で組み付け保持されていることから、コンデンサ２０のコンデンサ保持部５４からの抜け出しや位置ずれを一層有利に防止することができる。しかも、突部挿入孔７６が第一筒体６４の筒壁の内部に穿設されており、連結突部８０や突部挿通孔７６を採用してもコンデンサ保持部５４の外周面に突起物が出現しないことから、他部材との干渉等の問題を生ずることもない。
【００３９】
加えて、コネクタハウジング２２の矩形枠体部４８により接続領域５０が画成されていることから、コネクタハウジング２２の剛性を確保しつつ、中間部分に中空の接続領域５０を形成することができる。従って、接続領域５０の上下側から、図示しない抵抗溶接機の一対の電極チップを挿入して、一対のリード部４６ａ，４６ｂと、電源側リード接続部３４およびアース側リード接続部４０の重ね合せ部分を、電極チップ間で挟み込み、抵抗溶接により両者を接続することが可能となるのである。従って、両者を半田付け等で接続する場合に比して、作業効率を飛躍的向上できる。
【００４０】
また、矩形枠体部４８の一対の対向壁部にバスバー保持部５２と第一筒体６４が一体形成されていることから、それらの剛性やコネクタハウジング２２全体の剛性が確保されて、接続対象である電源側／アース側リード接続部３４，４０とコンデンサ２０のリード部４６ａ，４６ｂの位置決めを一層精度よく行うことが可能となる。
【００４１】
以上、本発明の実施形態について詳述したが、本発明はその具体的な記載によって限定されない。例えば、前記実施形態においては、コンデンサ保持部５４は、第一筒体６４と第二筒体６８の二つの分割筒体で構成されていたが、さらに中間筒体を含む３つ以上の分割筒体で構成してもよい。これにより、第一筒体６４の軸方向長さを一層小さくして、底壁６２のリード挿通孔７０ａ，７０ｂの視認性をさらに向上させてもよい。
【００４２】
また、接続領域５０における電源側／アース側リード接続部３４，４０とコンデンサ２０のリード部４６ａ，４６ｂの接続方向は、上記実施形態の抵抗溶接に限定されず、半田付けやその他の任意の接続方向が採用可能である。
【符号の説明】
【００４３】
１０：コンデンサ内蔵ジョイントコネクタ、１２：端子部、１４：電源側バスバー、１６：端子部、１８：アース側バスバー、２０：コンデンサ、２２：コネクタハウジング、２４：コネクタ本体、３４：電源側リード接続部（リード接続部）、４０：アース側リード接続部（リード接続部）、４６ａ，ｂ：リード部、４８：矩形枠体部、５０：接続領域、５２：バスバー保持部、５４：コンデンサ保持部、６２：底壁、６４：第一筒体、６６：上壁、６８：第二筒体、７０ａ，ｂ：リード挿通孔、７４：開口側端面、７６：突部挿入孔、７８：開口側端面、８０：連結突部
【図１】
2014096208.tif 000003
【図２】
2014096208.tif 000004
【図３】
2014096208.tif 000005
【図４】
2014096208.tif 000006